(57)【特許請求の範囲】
【請求項１】
キャスターの支軸の軸芯部長手方向に作動杆が配設され、この作動杆を上方に移動させるとロックが解除されるロック付きキャスター用のロック作動機構であって、
長手方向に溝条部が設けられた２本の枠部材と、これら２本の枠部材を略平行に配置して、これら両枠部材と略直交する方向で、両枠部材の中間部位に配設された軸部材と、この軸部材の一方端又は両端に設けられた操作部材と、それぞれの枠部材の両端部に配設される前記ロック付きキャスターの支軸から上方に延長する作動杆をその両端部で固定し、上下に移動可能な上下可動部材とから成り、
この上下可動部材は、前記それぞれの枠部材の溝条部の内部で、上下に往復動することができる長尺状のものから成り、
前記軸部材は前記枠部材の溝条部を形成する両側面を貫通し、且つ、前記上下可動部材の下方で回動自在に組付けられ、
前記それぞれの枠部材の溝条部を貫通する軸部材の部位に偏心カム部材をそれぞれに設け、
前記軸部材の一方端又は両端に設けた操作部材を一方方向に回動させることによって偏心カム部材も回動し、これにより両上下可動部材が下方に移動して、キャスターの支軸から上方に延長する作動杆を下方に移動させて全キャスターがロックされ、
前記操作部材を他方方向に回動させることによって偏心カム部材も回動し、これにより両上下可動部材が上方に移動して、キャスターの作動杆が上方に移動して全キャスターのロックが解除されることを特徴とするロック付きキャスター用のロック作動機構。
【請求項２】
前記それぞれの枠部材の溝条部を構成する両側面の上縁部をそれぞれ略水平方向に延長して取付部を設け、
これらの取付部を被取付物品の底面部に固定できることを特徴とする請求項１に記載のロック付きキャスター用のロック作動機構。
【請求項３】
前記軸部材の横断面形状を略四角形状としたことを特徴とする請求項１又は２に記載のロック付きキャスター用のロック作動機構。
【請求項４】
前記上下可動部材として横断面略コ字形状のものを使用し、この上下可動部材の開口側を上方に向けて配置し、その底面部でロック付きキャスターの支軸から上方に延長する作動杆をナットにより固定し、このナットの緩み止め部材を当該底面部に更に設けたことを特徴する請求項１乃至３の何れか1項に記載のロック付きキャスター用のロック作動機構。
【発明の詳細な説明】
【技術分野】
【０００１】
本発明は、各種の家具、主に床頭台や台車等の被取付物品の底面部に取り付けられるロック付きキャスター用のロック作動機構に関するものである。
【背景技術】
【０００２】
キャスターは、各種の家具や台車など（以下「被取付物品」という。）の、その底面部に小さな車輪を通常は４個取り付けて押し動かす必要のある物品に広く使用されている。
通常、これらのキャスターは、移動に役立てるために、これらのキャスターが取り付けられる被取付物品の底面部に取り付けられている。
【０００３】
多くの使用状況において、これらのキャスターはロックとアンロック（ロック解除）という２種類の状態を備えるものであり、このアンロック状態ではその被取付物品を搬送または移動させることができ、ロック状態では被取付物品を静止させ、安定させる機能を持つものである。
【０００４】
従来のロック付きキャスターとしては、下記の特許文献に記載のものを挙げることができる。
特許文献１に記載の発明は、本願出願人が先に提案したものであって、キャスターの垂直面と水平面での両面での回転を同時にロックできるものである。
尚、本発明では、キャスターの垂直面でロック及びロック解除できるキャスターであればよく、水平面でのロック機構は備えていないものであってもよい。
【０００５】
このキャスターのロック装置は揺動板からなり、揺動板の一端に係合素子を、他端にロック構造を有し、その略中央部で本体部に軸着される。本体部の両側に設けられた側輪の軸心部の外周面には環状歯部が設けられ、環状歯部は前記係合素子と歯合する。ロックの作動杆は支軸の軸芯部を貫通し、その下端にロック部を有す。作動杆が下向きに移動すると、ロック部がロック構造に当接しかつ係合素子が上向きに移動して環状歯部に歯合し、ロックできる。作動杆が上向きに移動すると、ロック部がロック構造から離れかつ係合素子が環状歯部から離れアンロック状態となる。ロック部とロック構造との係合により支軸の水平面での回転も同時にロックされるものである。
【先行技術文献】
【特許文献】
【０００６】
【特許文献１】特開２０１４−９２９号公報
【発明の概要】
【発明が解決しようとする課題】
【０００７】
本発明においては、上記のようなロック付きキャスターを用いて、これら４個のキャスターを家具等の被取付物品の底面部に取り付け、これら４個のキャスターを例えば一つのべダル操作で、４個全てのキャスターを同時にロックすることができ、且つ、ロック解除も行うことができるロック付きキャスター用のロック作動機構を提案することをその課題としている。
【０００８】
また、このロック機構を一つの構成部材として完結したものとし、かかる構成部材に４個のキャスターを装備して、各種家具等の被取付物品の底面部に簡単に装備させることができるようにすることも本発明の課題となる。
更に、ロック及びアンロックの動作を容易に行うことができようにすること、及び、キャスターの支軸から上方に延長する作動杆の固定を確実なものとすること等も本発明の課題となる。
【課題を解決するための手段】
【０００９】
上記の課題を解決するために、本発明の第１のものは、キャスターの支軸の軸芯部長手方向に作動杆が配設され、この作動杆を上方に移動させるとロックが解除されるロック付きキャスター用のロック作動機構であって、長手方向に溝条部が設けられた２本の枠部材と、これら２本の枠部材を略平行に配置して、これら両枠部材と略直交する方向で、両枠部材の中間部位に配設された軸部材と、この軸部材の一方端又は両端に設けられた操作部材と、それぞれの枠部材の両端部に配設される前記ロック付きキャスターの支軸から上方に延長する作動杆をその両端部で固定し、上下に移動可能な上下可動部材とから成り、この上下可動部材は、前記それぞれの枠部材の溝条部の内部で、上下に往復動することができる長尺状のものから成り、前記軸部材は前記枠部材の溝条部を形成する両側面を貫通し、且つ、前記上下可動部材の下方で回動自在に組付けられ、前記それぞれの枠部材の溝条部を貫通する軸部材の部位に偏心カム部材をそれぞれに設け、前記軸部材の一方端又は両端に設けた操作部材を一方方向に回動させることによって偏心カム部材も回動し、これにより両上下可動部材が下方に移動して、キャスターの支軸から上方に延長する作動杆を下方に移動させて全キャスターがロックされ、前記操作部材を他方方向に回動させることによって偏心カム部材も回動し、これにより両上下可動部材が上方に移動して、キャスターの作動杆が上方に移動して全キャスターのロックが解除されることを特徴とするロック付きキャスター用のロック作動機構である。
【００１０】
本発明の第２のものは、上記第１の発明において、前記それぞれの枠部材の溝条部を構成する両側面の上縁部をそれぞれ略水平方向に延長して取付部を設け、これらの取付部を被取付物品の底面部に固定できることを特徴とするロック付きキャスター用のロック作動機構である。
【００１１】
本発明の第３のものは、上記第１又は第２の発明において、前記軸部材の横断面形状を略四角形状としたことを特徴とするロック付きキャスター用のロック作動機構である。
【００１２】
本発明の第４のものは、上記第１乃至第３の何れかの発明において、前記上下可動部材として横断面略コ字形状のものを使用し、この上下可動部材の開口側を上方に向けて配置し、その底面部でロック付きキャスターの支軸から上方に延長する作動杆をナットにより固定し、このナットの緩み止め部材を当該底面部に更に設けたことを特徴するロック付きキャスター用のロック作動機構である。
【発明の効果】
【００１３】
本発明の第１のものにおいては、まず、その構成部材が、２本の枠部材、軸部材、操作部材及び上下可動部材とから成り、一つの完結したロック作動機構として製品化でき、各種のロック付きキャスターを取り付けて被取付物品の底面部に装備させることができる。
【００１４】
ここで使用するロック付きキャスターとしては、キャスターの支軸の軸芯部からロックの作動杆が上方に延長し、この作動杆を上方に移動させることによりロックが解除されるタイプのものであれば、どのような形態のキャスターであってもよいものである。
更に、本発明においては、操作部材の正逆の回動動作によって、全てのキャスターを同時にロックさせ、またロック解除をさせることもできる。
【００１５】
本発明の第２のものにおいては、枠部材の溝条部を構成する両側面の上縁部をそれぞれ略水平方向に延長して取付部を設けているために、これらの取付部を被取付物品の底面に螺子等の固定手段によって容易に固定することができる。
この取付部を枠部材に設けたことにより、他の別の固定部材が不要となる。
【００１６】
本発明の第３のものにおいては、上記の発明において、軸部材の横断面形状を略四角形状としたことを特徴とするものであり、これにより、操作部材、偏心カム部材等の部材の取り付けが極めて容易となる。
というのも、横断面略四角にしたために、軸部材との連結又は組み付けにおいて回動方向への固定手段が不要となるからである。
【００１７】
本発明の第４のものにおいては、ロック付きキャスターの作動杆の上端部をナットにて螺着できるようにし、このナットの緩み止め部材を上下可動部材に設けたことを特徴とするものである。
これにより、ロック付きキャスターが上下可動部材から分離してしまう恐れが無くなることとなる。
【図面の簡単な説明】
【００１８】
【図１】本発明に係るロック作動機構において用いられるロック付きキャスターの一例を示す斜視図である。
【図２】本発明のロック作動機構に係る一実施形態を示す分解斜視図である。
【図３】上記実施形態の作動状態を示す概念説明図であって、その（Ａ）がロック状態を示し、その（Ｂ）がアンロック状態を示している。
【図４】上記実施形態に係るロック作動機構の上下可動部材の両端部に設けたナットの緩み止め部材を示す斜視図であり、その（Ａ）が上面側を示し、その（Ｂ）が底面側を示している。
【発明を実施するための形態】
【００１９】
以下、添付の図面と共に本発明の実施形態について説明する。
図１は本発明に係るロック作動機構において用いられるロック付きキャスターの一例示す斜視図である。
【００２０】
このロック付きキャスター５０は、本体部５５と、本体部５５内部に設備されるロック装置と、本体部５５の両側に位置する側輪３２、３２と、支軸６０と、作動杆５１とを有している。
このロック付きキャスターは、上記特許文献１に記載のキャスターと同一のものである。
【００２１】
本体部５５には、その上方部分に支軸受部３１が設けられている。
支軸受部３１は本体部５５の上方に位置し、かつ垂直方向に沿って軸心貫通孔が貫設されており、この軸心貫通孔に支軸６０が貫通する。
【００２２】
本体部５５の内部にはロック装置が設置されており、このロック装置は揺動板と台座とから成り、揺動板の略中央下方部で台座に軸着されている。
揺動板の先端には係合素子があって、基端には水平回転を阻止できる水平回転ロック部が設けられているが、この水平回転ロック部は特に設けなくともよいものである。
【００２３】
側輪３２の軸心部は、前記本体部５５の本体軸心部と同一軸に形成され、両側の側輪３２は、本体部５５の本体軸心部を中心として自由に回転する。
両側の側輪３２の側輪軸心部の外側環状面には環状歯部が形成されており、環状歯部には複数の歯溝が設けられている。
この側輪３２は本体部５５の両側に設けているが、片側だけのものであってもよい。
【００２４】
３７は側板を示し、この側板３７は、両側輪３２、３２の外側面をカバーしている。
前記揺動板の先端に設けた係合素子は、本体軸心部に平行な細長い棒状のものであり、かつその長さは本体軸心部の軸方向の長さを超えるので、係合素子の本体軸心部を超える部分は歯溝に歯合することができ、これにより側輪３２をロックし、垂直面で回転できないようにすることができる。
【００２５】
支軸６０には、本体部５５の内部に通じる軸心貫通孔が貫設され、その上方部には、雄ネジが刻設された上部螺設部６１が設けられている。
この上部螺設部６１は、後に説明するロック作動機構に連結され、ナットにより螺着され、その下方の当接部６３の上縁部が上記ロック作動機構の枠部材に下から当接する。
【００２６】
作動杆５１は、支軸６０の軸心貫通孔を貫通し、本体部５５の内部へと延長している。
作動杆５１の下端部は本体部５５の内部に位置し、かつ揺動板の基端部分に当接する。その上端は支軸６０の上方に伸出して、その上端部には雄ネジが刻設され、上端螺設部５２を成す。
【００２７】
上記作動杆５１の下端部には、コイルスプリングから成る弾性部材が介装され、常に作動杆５１を下方向に付勢している。
他方、揺動板の基端部の下方にもコイルスプリングから成る弾性部材を本体部５５の底面との間に介装して、揺動板の基端部を常に上方に付勢している。
そして、上記作動杆を付勢する弾性部材の付勢力を揺動板を付勢する弾性部材の付勢力よりも大きくすることにより、このロック付きキャスター５０においては、作動杆５１が常に下方に付勢されてロック状態を維持できる構成である。
【００２８】
これが通常状態のロック状態であり、このロック状態を解除するには、作動杆５１を上方方向に引き上げる（移動する）ことによって行われるのである。
以上の通り、本発明のロック作動機構で使用されるロック付きキャスター５０は、支軸６０の軸心部を貫通する作動杆５１を上方に引き上げる（移動する）ことによって、ロックの解除が行われ、逆にこの作動杆５１が下方に移行して元の位置に戻るとロックされる構成である。
【００２９】
本発明に係るロック作動機構は、上記構成を有するロック付きキャスター５０のロックを作動させる機構に係わるものである。
以下、図２乃至図４に基づき本発明に係るロック作動機構について説明する。
【００３０】
図２は、本発明のロック作動機構に係る一実施形態を示す分解斜視図である。
本発明に係るロック作動機構は、開口側を上に向けた横断面略コ字形状で、その両側面１１、１１の上端縁部を略水平方向に延長した取付部１２、１２を有する２本の枠部材１０、１０と、これら枠部材１０、１０の略中央部位で略直交する方向に配設される軸部材１５と、この軸部材１５の一方の手前側端部に設けられた操作部材１７と、前記枠部材１０、１０のそれぞれの溝条部１３内で上下に往復動できる上下可動部材１９とから構成されている。
【００３１】
更に、前記軸部材１５が前記枠部材１０の溝条部１３内に配設される部位、即ち、枠部材１０の両側面１１、１１の間に位置する部位には、偏心カム部材２５が設けられている。
また、長尺状の上下可動部材１９、１９のそれぞれの両端部には、図１で説明したロック付きキャスター５０、５０の支軸から上方に延長する作動杆５１が取り付けられるのである。
【００３２】
また、図中２７は、ナットの緩み止め部材を示しているが、この緩み止め部材２７は、ロック付きキャスター５０の支軸６０から上方に延長する作動杆５１の上端螺設部５２が前記上下可動部材１９の両端部でナットにより固定されるが、このナットの緩みを防止するためのものである。
【００３３】
尚、上記枠部材１０、軸部材１５及び上下可動部材１９は金属製であり、操作部材１７及び偏心カム部材２５は合成樹脂製である。
以下、次図を用いて、上記構成部材の作動状態について説明する。
【００３４】
図３は、上述した構成部材の作動状態を示す概念説明図であって、その（Ａ）がロック状態を示し、その（Ｂ）がアンロック状態を示している。
この図からよく解る通り、それぞれのロック付きキャスター５０は、その支軸６０の上方の上部螺設部６１を枠部材１０の底面部の両端部の貫通穴を挿通させて、ナット６５により螺着固定される。
【００３５】
上部螺設部６１の軸芯部には作動杆５１が挿通しており、この作動杆５１が上下可動部材１９の両端部に設けられた貫通穴を挿通して、ナット６９により螺着固定されている。
図３（Ａ）において、操作部材１７を矢印方向の左方向に回動すると、これがロック状態である。
【００３６】
この操作部材１７は、山型のペダル形状のものからなり、左回動してロックされ（（Ａ）図の状態）、右回動してアンロック状態（（Ｂ）図の状態）となる。
操作部材１７の略中央上方部には、横断面四角形の軸部材１５の端部が固定され、操作部材１７の左右方向の回動に伴って同じく回動する。
【００３７】
この軸部材１５が枠部材１０の溝条部１３を通過する部位、即ち、枠部材１０の両側面１１、１１の間の部位に偏心カム部材２５が固定されている。
この偏心カム部材２５は、その回動中心からその周面部までの距離が大小異なるように形成されている。
【００３８】
この偏心カム部材２５の回動により、即ち、この偏心カム部材２５が左方向に回動されると、上下可動部材１９は、その一番下の位置に平行移動する。
この一番下の位置にあるときが（Ａ）図の状態であり、キャスター５０はロック状態である。
【００３９】
他方、この偏心カム部材２５が右方向に回動されると、上下可動部材１９は、その一番上の位置に平行移動するのである。
この一番上の位置にあるときが（Ｂ）図の状態であり、キャスター５０はアンロック状態となる。
【００４０】
図３では、一方（手前側）の枠部材１０について説明しているが、同様に他方（向う側）の枠部材１０も同じ構成で同じ動作を行うのである。
即ち、操作部材１７の一つの動作により、４個のキャスター５０のロック・ロック解除動作を行うことができることとなるのである。
尚、上記の上下可動部材１９の形態は、図２に示した通り、上方開口の横断面略コ字形状の長尺状のものを使用している。
【００４１】
図４は、本発明に係るロック作動機構の上下可動部材の両端部に設けたナットの緩み止め部材を示す斜視図であり、その（Ａ）が上面側を示し、その（Ｂ）が底面側を示している。
この緩み止め部材２７は、合成樹脂製の直方体形状のものからなり、その両端部には螺子挿通孔２７ｓ、２７ｓを設けて、上下可動部材１９の両端部分に螺着できる。
そして、その底面中央部に六角柱形状の穴部２７ｈを設けたものから成る。
【００４２】
この底面中央部に設けた六角柱形状の穴部２７ｈに、前記作動杆５１の上端部に螺着されたナット６９が適合するように構成したものである。
この緩み止め部材２７の底面部に設けた六角柱形状の穴部２６ｈにナット６９が適合することにより、当該ナット６９の緩みが防止できるのである。
【００４３】
また、この緩み止め部材２７の厚みは、前記上下可動部材１９の両側面の１９ｓ、１９ｓの高さと略同一としている。
上下可動部材１９が一番上の位置に来てアンロック状態となったときに、この緩み止め部材２７の上面部が枠部材１０の溝条部１３から外に出ないように考慮したものである。
【００４４】
即ち、この枠部材１０は、その両側面１１、１１の上端部から略水平方向に取付部１２、１２を設けており、この取付部１２、１２は、被取付物品の底面部に接合して固定されるために、その際に上記緩み止め部材２７が上方に突出して邪魔にならないように考慮したものである。
【００４５】
以上、本発明の実施形態について説明したが、本発明においては以下の通り各種設計変更することができる。
本発明のロック作動機構で作動されるロック付きキャスターは、その支軸から上方にロックの作動杆が延長し、この作動杆を上方に移行させてロックできる形式のものであればよい。
【００４６】
枠部材は長尺状のもので、その長手方向に溝条部を有し、その両端部でキャスターを固定できるものであればよく、取付部は任意のものである。その長手方向長さも自由に設定することができる。
溝条部の深さ及び幅は、自由に設計することができる。
枠部材に固定するキャスターの固定方法も全く自由である。
【００４７】
軸部材も横断面略四角形状のものを使用したが、横断面円形のものであってもよいことは勿論である。
軸部材の長手方向長さも自由に設定することができ、取り付けられる被取付物品のサイズに合致させればよいのである。
【００４８】
軸部材の一方端部に設けた操作部材の形状も任意に設計変更することができ、この操作部材を軸部材の両端部に設けてもよいことは勿論である。
両側のそれぞれで操作できることとなるからである。
上記実施形態では、足で操作し易いように、大きい山型の形態のものを採用したが、その形態も自由に変更することができる。
【００４９】
その他、軸部材が枠部材の両側面部を貫通する部分に合成樹脂製の軸受部やスペーサ部材を適宜設けることも全く自由である。
以上の通り、本発明においては、操作部材の一つの操作により、全ロック付きキャスターのロック及びアンロック動作を行うことができ、各種の被取付物品の底面部に装備することが出来る便利なロック作動機構を提供することができた。
【符号の説明】
【００５０】
１０  枠部材
１１  側面部
１２  取付部
１３  溝条部
１５  軸部材
１９  上下可動部材
２５  偏心カム部材
２７  緩み止め部材
２７ｓ  螺子挿通孔
２７ｈ  穴部
３２  側輪
５０  ロック付きキャスター
５１  作動杆
５５  本体部
６０  支軸
【図１】
0006333706.tif 000002
【図２】
0006333706.tif 000003
【図３】
0006333706.tif 000004
【図４】
0006333706.tif 000005